(57)【要約】      （修正有）【課題】携帯型電子機器を一旦収納すると、取り出すことなく収納したままで種々の操作を行うことが可能なポケットを備えたアウターウエア（例えばコート）を提供する。【解決手段】コート１は、表地１１と裏地１４とを備えており、裏地１４にポケット部材２１を縫い付けることでポケット２０が形成されている。ポケット部材２１は、透明な樹脂からなる透明部２２と、透明部２２を裏地１４に取り付けるための縫い代部２３とを備えている。コート１は、携帯型電子機器を内ポケット２０に収納したままで、携帯型電子機器のタッチパネルの表示を透明部２２から視認し、更に透明部２２の外側から携帯型電子機器のタッチパネルに手による入力を行って種々の操作を行うことが可能である。【選択図】図１
0003179286.tif 000002
【実用新案登録請求の範囲】
【請求項１】
アウターウエアであって、
ポケット部材を縫い付けることでポケットが形成されており、前記ポケット部材が、透明な樹脂からなる透明部と前記透明部を前記裏地に取り付けるための縫い代部とを備えていることを特徴とするアウターウェア。
【請求項２】
前記ポケット部材の前記透明部が、厚さ０．１ｍｍ以上０．３ｍｍ以下のポリウレタンフィルムで構成されていることを特徴とする請求項１に記載のアウターウェア。
【考案の詳細な説明】
【技術分野】
【０００１】
本考案は、携帯電話、携帯型情報端末、デジタルオーディオプレイヤー等の携帯型電子機器を収納するためのポケットを備えているアウターウェアに関する。特に、これらの携帯型電子機器を収納したままで操作することが可能なポケットを備えた、アウターウェアに関する。
【背景技術】
【０００２】
本考案に係るアウターウエアとは、一般に、最も外側に着用することのできる衣類の総称であり、特に上半身に着用する衣類のことをいう。具体的には、コート、ジャンパー、ブレザー、ウインドブレーカー、カバーオール等を指す。またここでいうコートの中には、ドレスコート、カジュアルコート等の外套全般が含まれている。
【０００３】
一般的なアウターウェアは、前身頃と後ろ身頃と袖とが縫い合わされて形成されており、一つ以上のポケットを備えているものが多い。特に、表地と裏地の二重構造となっているアウターウェアの場合、前身頃の裏地部分に内ポケットを設けることが広く行われている。
【０００４】
近年、携帯型電子機器の小型化に伴って、アウターウェアの外ポケットや内ポケットにこれらの電子機器を収納して屋外に持ち出し、音楽や会話を楽しむ機会が増えている。先行技術文献１には、電子機器を収納可能な上衣が開示されている。先行技術文献１記載の上衣は、携帯型電子機器を収納可能な内ポケットを備えており、さらに内ポケットの近傍に携帯型電子機器に接続されたコードを通して固定することが可能な通路が設けられている。
【先行技術文献】
【特許文献】
【０００５】
【特許文献１】特開２００５−２１３７１６号公報
【考案の概要】
【考案が解決しようとする課題】
【０００６】
従来、衣類のポケットに携帯型電子機器を収納している場合、たとえ些細な操作であっても、その都度携帯型電子機器を取り出す必要があり、非常に手間がかかっていた。これに加えて、携帯型電子機器にイヤホンなどの配線が接続されている場合、携帯型電子機器を取り出すと、一緒に配線も引っ張られて位置がずれるため、携帯型電子機器を再度ポケットに収納した後に、もう一度配線の位置を調整する必要があった。
【０００７】
この考案は上記従来の問題点に鑑みてなされたものであり、携帯型電子機器を一旦収納すると、取り出すことなく収納したままで種々の操作を行うことが可能なポケットを備えたアウターウエアを提供することを目的とする。
【課題を解決するための手段】
【０００８】
本考案は、アウターウエアに関する。アウターウェアは、ポケット部材を縫い付けることでポケットが形成されている。本考案のアウターウェアは、身頃や袖に縫い付けられるこのポケット部材が、透明な樹脂からなる透明部と、透明部を裏地に取り付けるための縫い代部とを備えていることを特長とする。
【０００９】
近年の携帯型電子機器の大部分は、その表示部がタッチパネルとなっていて入力部を兼ねており、表示部に指で触れることで命令を入力して操作することができる。本考案のアウターウェアのポケット部材は、透明な樹脂からなる透明部を備えている。この透明部を通して見ることで、収納されている携帯型電子機器のタッチパネルの表示内容を視認することが可能となっている。しかも本考案のアウターウェアのポケットは、透明部の外側から携帯型電子機器のタッチパネルに指で触れることにより、携帯型電子機器に命令を入力して所望の操作を行うことが可能となっている。
【００１０】
本考案のアウターウェアは、ポケット部材の透明部が、厚さ０．１ｍｍ以上０．３ｍｍ以下のポリウレタンフィルムで構成されていることが好ましい。これにより、ポケットに収容した携帯型電子機器の操作を簡単且つ確実に行うことができる。
【考案の効果】
【００１１】
本考案のアウターウエアは、ポケットを構成するポケット部材が、透明な樹脂からなる透明部を備えていることによって、一旦ポケットに収納した携帯型電子機器のタッチパネルの表示内容を、ポケットから取り出すことなく視認することが可能となっている。しかも本考案のアウターウェアのポケットは、透明部の外側から携帯型電子機器のタッチパネルに指で触れることにより、携帯型電子機器に命令を入力して所望の操作を行うことが可能となっている。即ち本考案のアウターウェアは、携帯型電子機器をポケットに収納したままで取り出すことなく、種々の操作を行うことが可能である。
【００１２】
本考案のアウターウェアは、ポケット部材の透明部を厚さ０．１ｍｍ以上０．３ｍｍ以下のポリウレタンフィルムで構成することにより、タッチパネルに表示される内容の視認に必要な透明性と、タッチ操作時の充分な反応性とを共に確保した最適なポケットを提供することができる。
【００１３】
透明部を構成するポリウレタンは、石油系ドライクリーニングの溶剤に対する耐性が高いので、長期間の耐久性を備えたポケットを提供することができる。これに加えて、適度な柔軟性を有しているため、比較的大型の携帯型電子機器を収納している場合でも、快適な着用感を得ることができる。
【００１４】
本考案のアウターウェアは、一旦ポケットに収納した携帯型電子機器を、取り出すことなく操作することが可能である。このため、携帯型電子機器の操作のための出し入れの手間を減じることができる。また携帯型電子機器の出し入れをしないことで、機器に接続されている配線コードが外れたりずれたりする恐れを事前に回避することができる。また、出し入れに伴う携帯型電子機器の紛失や破損の恐れを事前に回避することができる。
【図面の簡単な説明】
【００１５】
【図１】本考案にかかるアウターウエアの一実施例であるコート１を示す正面図である。
【図２】本考案の内ポケット２０の部分拡大図である。
【図３】本考案のアウターウェアから取り外した裏地の正面図である。
【考案を実施するための形態】
【００１６】
本考案にかかるアウターウェアの最適な実施の形態である、ポケットの透明部の特性について説明する。透明部は、厚さ０．１ｍｍ以上０．３ｍｍ以下のポリウレタンフィルムで構成されていることが好ましい。種々の検討の結果、厚さが０．１ｍｍ未満となった場合には、長期間の耐久性を保証できなくなる虞があった。また厚さが０．３ｍｍよりも厚いポリウレタンフィルムを使用した場合、携帯型電子機器の機種によっては、タッチパネルが操作者の操作を認識しない恐れがあり、その結果操作性が悪くなる可能性があった。このような検証の結果、透明部は、厚さ０．１ｍｍ以上０．３ｍｍ以下のポリウレタンフィルムで構成されていることが好ましいことが確認された。
【００１７】
以下に、本考案を実施するためのアウターウェアであるコートについて、内ポケットを左胸に設けた実施例を、図面を参照しつつ実施例によって詳細に説明する。
【実施例１】
【００１８】
以下に、本考案に係るアウターウエアの一実施例であるコート１を詳細に説明する。図１は、コート１の正面図であり、着用時に左側となる前身頃の一部を折り返して示したものである。コート１は、表地１１と裏地１４からなる二重構造となっている。表地には織物の生地が用いられている。図１において、符号１２は前身頃の表地を示し、符号１３は袖の表地を示している。後ろ身頃の表地は図１において図示されていないが、前身頃及び袖と同じ生地が用いられている。コート１の裏地１４は、着用時右側となる図示されていない右前裏と、着用時左側となる前身頃の裏地である左前裏１５と、後ろ身頃の裏地である背裏１６と袖裏１７とが縫い合わされて形成されている。裏地は、ポリエステルを含む薄手で滑りの良い布地で形成されている。また、本実施例のコート１では、裏地１４と表地１１とは、襟みつ、肩、両脇、及び袖付けの位置で縫い合わされている。
【００１９】
本実施例のコート１は、左前裏１５の胸部付近にポケット部材２１を縫い付けることで、内ポケット２０が形成されている。ポケット部材２１は、厚さ０．２ｍｍのポリウレタンフィルムからなる略四角形の透明部２２と、布地からなる枠型形状の縫い代部２３とを備えている。
【００２０】
図２を参照して、内ポケット２０の構成を更に詳細に説明する。ポケット部材２１は、縫い代部２３の内側周縁部と透明部２２の外周部とが、縫い目線２６で示される位置で縫い合わされており、透明部２２と縫い代部２３とが一体化している。また縫い代部２３の外側周縁部が左前裏１５に縫い目線２７で示される位置で縫い付けられており、これによってポケット部材２１が左前裏１５に取り付けられて、内ポケット２０が形成されている。縫い代部２３の上部にはファスナー２４が取り付けられており、このファスナー２４から、携帯型電子機器３０を始めとする収納物を出し入れすることができる。図２では、携帯型電子機器３０の一例として、多機能携帯電話（スマートフォン）を収納した状態を示している。
【００２１】
縫い代部２３のファスナー２４の更に上部には、携帯型電子機器３０の配線用のガイド部２５が設けられている。本実施例におけるガイド部２５は、伸縮性のある帯状の布地で形成されており、三つの区画を形成する様に縫い代部２３に縫い付けられている。図２に示す様に、携帯型電子機器３０に接続されているイヤホン線３２等の配線を、ガイド部２５の一つの区画に通過させることで、配線のからまりを防ぎ、携帯型電子機器３０の操作性を一層向上させることができる。
【００２２】
本実施例の透明部２２に使用されているポリウレタンフィルムは、透過率が８０％以上ある。このため、透明部２２のポリウレタンフィルムを通して携帯型電子機器３０のタッチパネル３１の画面を見た場合であっても、その表示内容はほとんど劣化することがなく、鮮明に表示される。このため表示内容を見まちがうことなく、入力を容易に行うことができる。
【００２３】
透明部２２に使用されているポリウレタンフィルムは、厚さが０．２ｍｍであり、充分に薄く構成されている。このため、透明部２２の外側から携帯型電子機器３０のタッチパネル３１の入力位置に指で触れた場合、タッチパネル３１は、コート１の着用者である操作者の入力内容を検出することができる。例えば、タッチパネル３１が抵抗膜方式を採用している場合であれば、操作者がポリウレタンフィルムに接触したとき、接触に対応した電圧の変化をタッチパネル３１は充分検出可能である。またタッチパネル３１が静電容量方式を採用している場合であれば、操作者がポリウレタンフィルムに接触したとき、接触に対応した静電容量の変化をタッチパネル３１は充分検出可能である。つまり本実施例のコート１は、内ポケット２０に収納した携帯型電子機器３０に対して、透明部２２の外側から、透明部２２を間に挟んだ状態で携帯型電子機器３０のタッチパネル３１に触れることによって、命令を入力して所望の操作を行うことが可能である。
【００２４】
以上述べてきた様に、本実施例のコート１は、左前裏１５の胸部付近にポケット部材２１を縫い付けることで、内ポケット２０が形成されている。ポケット部材２１は、厚さ０．２ｍｍのポリウレタンフィルムからなる略四角形の透明部２２を備えている。コート１は、携帯型電子機器３０を内ポケット２０に収納したままで取り出すことなく携帯型電子機器３０のタッチパネル３１の表示を透明部２２から視認し、更に透明部２２の外側から携帯型電子機器３０に手による入力を行って種々の操作を行うことが可能である。透明部２２の構成が最適化されていることによって、コート１の着用者は、常に内ポケットに収納している携帯型電子機器３０の操作性の良さを実感できる。
【実施例２】
【００２５】
以下に、図面を参照しつつ、本考案に係るアウターウエアの更なる実施例である第二のコートを説明する。図２は、第二のコートのライナー（裏打ち生地、裏部材）４０の正面図である。第二のコートにおける表地の構成は実施例１と同一の構成を備えているため、重複説明を割愛する。本実施例におけるコートは、ライナー４０が表地に対して縫い合わされておらず、ボタン又はファスナーによって着脱可能に取り付けられる。
【００２６】
本実施例の第二のコートのライナー４０には、実施例１と同様に、滑りの良い生地が用いられている。本実施例のライナー４０は、防寒特性をより必要とする場合には、内側に中綿を挟んだキルティング素材で形成することが可能である。左前裏には実施例１と同一の構成を備えた内ポケット４１が取り付けられている。ライナー４０が取り外し可能であることにより、必要に応じて表地のみにクリーニングを行うことが可能となり、内ポケット４１の透明部に用いられているポリウレタンフィルムの耐久性を更に長期間に亘って確保することが可能となる。また本実施例のコートは保温力の調整が容易となっている。
【００２７】
以上、実施例１及び実施例２において本考案の具体例を詳細に説明したが、これらは例示にすぎず、実用新案登録請求の範囲を限定するものではない。実用新案登録請求の範囲に記載の技術には、以上に例示した具体例を様々に変形、変更したものが含まれる。例えば実施例では、裏地に内ポケットを取り付ける場合について説明したが、表地に外ポケットを形成することも可能である。また表地にポケット用の開口部を設けて、表地の内側に内ポケットを形成することも可能である。その他、ポケット部材の取付位置は、携帯型電子機器を収納したい位置に応じて任意に変更することが可能である。
【００２８】
また、透明部２２に厚さが０．２ｍｍのポリウレタンフィルムを使用する場合について説明したが、透明部２２にＰＥＴ（ポリエチレンテレフタレート）等の樹脂を利用することも可能である。また、内ポケットの透明部と縫い代部の形状は、実施例の四角形のものに限定されず、携帯型電子端末のタッチパネルが視認できる面積と形状が確保されれば、任意の形状及び大きさを適用することができる。更に内ポケットの透明部と縫い代部との間の結合は、糸による縫合ではなく、接着材を用いた接着や、熱圧着によって行うことも可能である。また内ポケットが設けられるアウターウェアの外観形状は、適宜変更することが可能である。
【符号の説明】
【００２９】
１      コート
１１    表地
１２    前身頃の表地
１３    袖の表地
１４    裏地
１５    左前裏
１６    背裏
１７    袖裏
２０、４１    内ポケット
２１    ポケット部材
２２    透明部
２３    縫い代部
２４    ファスナー
２５    ガイド部
２６，２７  縫い目線
３０    携帯型電子機器（多機能携帯電話）
３１    タッチパネル
３２    イヤホン線
４０    ライナー
【図１】
0003179286.tif 000003
【図２】
0003179286.tif 000004
【図３】
0003179286.tif 000005